(57)【要約】【課題】配線又は信号ラインの視認現象の減少されたディスプレイ装置を提供すること。【解決手段】ディスプレイ装置は、ウィンドウ、ディスプレイパネル及び入力検出センサーを備える。入力検出センサーは、第１電極、第２電極、第１電極の一端に接続される第１信号ライン、第２電極の一端に接続される第２信号ライン、及び第２電極の他端に接続される第３信号ラインを含んでもよい。第１信号ラインのうち、第１〜ｎ（２以上の自然数）番目の信号ラインは、複数回ベンディングされたベンディング部分を含んでもよい。第１番目の信号ラインから第ｎ番目の信号ラインに行くほどベンディング部分の抵抗は小さくなってもよい。第１〜ｎ番目の信号ラインは、第１番目の信号ラインから第ｎ番目の信号ラインに行くほど、ベンディング部分から離れて配置された電極に接続されてもよい。平面上において、ベンディング部分は遮光領域に重畳してもよい。【選択図】図１
2020042806.tif 000002
【特許請求の範囲】
【請求項１】
遮光パターン及び前記遮光パターンが配置された遮光領域と前記遮光領域に隣接する透過領域とを含むベース層を有するウィンドウと、
前記ウィンドウの下側に配置されたディスプレイパネルと、
前記ウィンドウと前記ディスプレイパネルとの間に配置され、前記遮光領域に対応する配線領域及び前記透過領域に対応するセンシング領域を含む入力検出センサーと、を備え、
前記入力検出センサーは、
第１方向内で前記遮光領域の一側に定義されたパッド領域から離れるようアレンジ（ａｒｒａｎｇｅ）され、前記第１方向と交差する第２方向に延長された第１番目〜第ｉ（ここで、ｉは２以上の自然数）番目の電極を含む第１電極グループと、
前記第１電極グループと交差する第１番目〜第ｊ（ここで、ｊは２以上の自然数）番目の電極を含む第２電極グループと、
前記第１番目〜第ｉ番目の電極に電気的に接続された第１番目〜第ｉ番目の信号ラインを含む第１信号ライングループと、
前記第１番目〜第ｊ番目の電極に電気的に接続された第１番目〜第ｊ番目の信号ラインを含む第２信号ライングループと、を備え、
前記第１番目〜第ｉ番目の信号ラインのうち、前記第１番目〜第ｎ（ここで、ｎは、１以上ｉ未満の自然数）番目の信号ラインのそれぞれは、
前記パッド領域から前記第１方向に延長された第１部分と、
前記第１番目〜第ｉ番目の電極のうち、対応する電極に接続された第２部分と、
前記パッド領域と前記センシング領域との間に配置され、複数回ベンディング（ｂｅｎｄｉｎｇ）された形状を有し、前記第１部分と前記第２部分との間に配置された第３部分と、を備え、
前記第１信号ライングループの前記第１番目の信号ラインの前記第３部分は、前記第１信号ライングループの前記第ｎ番目の信号ラインの前記第３部分よりも長く、かつ、抵抗が大きく、
平面上において、前記第１番目〜第ｎ番目の信号ラインの少なくとも一部分は、前記遮光パターンに重畳することを特徴とする、ディスプレイ装置。
【請求項２】
前記第１番目〜第ｉ番目の信号ラインの抵抗は、略同一であることを特徴とする、請求項１に記載のディスプレイ装置。
【請求項３】
平面上において、前記第１番目〜第ｎ番目の信号ラインのそれぞれの前記第３部分は、前記遮光パターンに重畳することを特徴とする、請求項１に記載のディスプレイ装置。
【請求項４】
前記第２信号ライングループの前記第１番目〜第ｊ番目の信号ラインは、前記第２電極グループの前記第１番目〜第ｊ番目の電極の前記パッド領域に隣接した一端にそれぞれ接続されることを特徴とする、請求項１に記載のディスプレイ装置。
【請求項５】
前記第２信号ライングループの前記第１番目〜第ｊ番目の信号ラインは、前記第１信号ライングループの前記第１番目〜第ｉ番目の信号ラインよりも長いことを特徴とする、請求項４に記載のディスプレイ装置。
【請求項６】
前記第２信号ライングループの前記第ｊ番目の信号ラインは、前記第２方向に対して前記第２電極グループの前記第１番目の電極から最も遠くに配置され、
前記第２信号ライングループの前記第ｊ番目の信号ラインは、前記第２方向にアレンジされた第１番目〜第ｍ（ここで、ｍは、２以上の自然数）番目の延長部分と前記第１番目〜第ｍ番目の延長部分との間の中間部分を含むことを特徴とする、請求項４に記載のディスプレイ装置。
【請求項７】
前記第ｍ番目の延長部分は、前記第２電極グループの前記第ｊ番目の電極の前記一端に接続されることを特徴とする、請求項６に記載のディスプレイ装置。
【請求項８】
前記第ｊ番目の信号ラインの前記第１番目〜第ｍ番目の中間部分は、前記第ｊ番目の信号ラインの前記第１番目の中間部分で前記第ｊ番目の信号ラインの前記第ｍ番目の中間部分に行くほど前記センシング領域に近づくことを特徴とする、請求項６に記載のディスプレイ装置。
【請求項９】
平面上で、前記第２信号ライングループの前記第ｊ番目の信号ラインの前記第１番目の中間部分は、前記遮光パターンに重畳することを特徴とする、請求項８に記載のディスプレイ装置。
【請求項１０】
前記第１信号ライングループの前記第１番目の信号ラインの前記第３部分は、
前記第２方向内で前記第１部分から延長された基準部分と、
前記基準部分と前記第１方向に離隔された第１番目〜第ｋ番目（ここで、ｋは２以上の自然数）の延長部分と、
前記基準部分と前記第１番目の延長部分との間及び前記第１番目〜第ｋ番目（ここで、ｋは２以上の自然数）の延長部分の間の中間部分と、を含み、
前記第１番目〜第ｋ番目の延長部分は、前記第１番目の延長部分から前記第ｋ番目の延長部分に行くほど前記基準部分から離れることを特徴とする、請求項１に記載のディスプレイ装置。
【請求項１１】
前記第２信号ライングループの前記第ｊ番目の信号ラインは、前記第２電極グループの前記第ｊ番目の電極に接続され、
前記第２信号ライングループの前記第ｊ番目の信号ラインは、前記第２方向にアレンジされた第１番目〜第ｍ（ここで、ｍは、２以上の自然数）番目の延長部分、及び前記第１番目〜第ｍ番目の延長部分の間の中間部分を含み、
前記第１番目〜第ｋ番目の延長部分は、前記第１番目〜第ｍ番目の延長部分のうちの一部に、１対１に対応して配置されることを特徴とする、請求項１０に記載のディスプレイ装置。
【請求項１２】
平面上において、前記第１信号ライングループの前記第１番目の信号ラインの前記第３部分の前記第１番目の延長部分は、前記遮光パターンに重畳し、前記第１番目の信号ラインの前記第３部分の前記第ｋ番目の延長部分は、前記遮光パターンに重畳せず、
前記第ｋ番目の延長部分は、前記第１番目の延長部分よりも太い線幅を有することを特徴とする、請求項１０に記載のディスプレイ装置。
【請求項１３】
前記第２信号ライングループの前記第ｊ番目の信号ラインは、絶縁層の下側に配置された第１層及び前記絶縁層の上側に配置され、前記絶縁層を貫通するコンタクトホールを通して前記第１層に接続された第２層を含み、
平面上で、前記コンタクトホールは、前記中間部分又は前記中間部分に隣接する前記延長部分の末端領域に重畳することを特徴とする、請求項１０に記載のディスプレイ装置。
【請求項１４】
前記ディスプレイパネルは、前記遮光領域に対応する非ディスプレイ領域及び前記透過領域に対応するディスプレイ領域を含み、
前記ディスプレイ領域は、発光領域及び発光領域に隣接する非発光領域を含み、
前記第１番目〜第ｉ番目の電極のそれぞれは、前記発光領域に対応する開口部が定義されたメッシュ形状を有することを特徴とする、請求項１に記載のディスプレイ装置。
【請求項１５】
前記ディスプレイパネルは、回路層、前記回路層上のディスプレイ素子層、及び前記ディスプレイ素子層上の上部絶縁層を含み、
前記入力検出センサーは、前記上部絶縁層上に直接配置されることを特徴とする、請求項１に記載のディスプレイ装置。
【請求項１６】
前記第１信号ライングループの前記第１番目〜第ｉ番目の信号ラインのそれぞれは、第１チタン層、前記第１のチタン層上のアルミニウム層、及び前記アルミニウム層上の第２チタン層を含むことを特徴とする、請求項１に記載のディスプレイ装置。
【請求項１７】
前記第１信号ライングループの前記第１番目〜第ｉ番目の信号ラインの前記第３部分の線幅は、略同一であることを特徴とする、請求項１に記載のディスプレイ装置。
【請求項１８】
ディスプレイパネル及び前記入力検出センサーのそれぞれには、平面上において、内側に凹形のノッチ領域が定義され、
前記第１信号ライングループの前記第１番目〜第ｉ番目の信号ラインは、前記第１電極グループの前記第１番目〜第ｉ番目の電極の一端にそれぞれ接続され、
前記第１電極グループの前記第１番目〜第ｉ番目の電極の前記一端は、前記第１方向内で一列に整列され、
前記第１電極グループの前記第１番目〜第ｐ（ここで、ｐは、２以上ｉ未満の自然数）番目の電極の前記第２方向の長さは、前記第１電極グループの第（ｐ＋１）番目の電極〜前記第ｉ番目の電極の前記第２方向の長さよりも長く、
前記第１電極グループの前記第（ｐ＋１）番目の電極〜前記第ｉ番目の電極の他端は、前記ノッチ領域に隣接することを特徴とする、請求項１に記載のディスプレイ装置。
【請求項１９】
前記第２信号ライングループの前記第１番目〜第ｊ番目の信号ラインは、前記第２電極グループの前記第１番目〜第ｊ番目の電極の前記パッド領域に隣接した一端にそれぞれ接続され、
前記第２電極グループの前記第１番目〜第ｊ番目の電極の前記一端は、前記第２方向内で一列に整列され、
前記第２電極グループの前記第１番目〜第ｑ（ここで、ｑは、２以上ｊ未満の自然数）番目の電極の前記第１方向の長さは、前記第２電極グループの第（ｑ＋１）番目の電極〜前記第ｊ番目の電極の前記第１方向の長さよりも短かく、
前記第１電極グループの前記第１番目〜第ｑ番目の電極の他端は、前記ノッチ領域に隣接することを特徴とする、請求項１８に記載のディスプレイ装置。
【請求項２０】
ディスプレイパネルと前記入力検出センサーのそれぞれには、平面上において、ホール領域が定義され、前記ディスプレイパネルの前記ホール領域及び前記入力検出センサーの前記ホール領域は、整列され、
前記入力検出センサーの前記ホール領域は、前記センシング領域の内側に定義されることを特徴とする、請求項１に記載のディスプレイ装置。
【請求項２１】
遮光領域及び前記遮光領域に隣接する透過領域を含むウィンドウと、
前記ウィンドウの下側に配置されたディスプレイパネルと、
前記ウィンドウとディスプレイパネルとの間に配置された入力検出センサーと、を備え、
前記入力検出センサーは、
第１電極と、
前記第１電極と絶縁交差する第２電極と、
前記第１電極の一端に接続される第１信号ラインと、
前記第２電極の一端に接続される第２信号ラインと、
前記第２電極の他端に接続される第３信号ラインを含み、
前記第１信号ラインのうち、第１番目〜第ｎ（２以上の自然数）番目の信号ラインは、複数回ベンディングされたベンディング部分をそれぞれ含み、
前記第１番目の信号ラインから前記第ｎ番目の信号ラインに行くほど前記ベンディング部分の抵抗は小さくなり、
前記第１番目〜第ｎ番目の信号ラインは、前記第１番目の信号ラインから前記第ｎ番目の信号ラインに行くほど、前記第１電極のうち、前記ベンディング部分から離れて配置された電極に接続され、
平面上において、前記ベンディング部分は、前記遮光領域に重畳することを特徴とする、ディスプレイ装置。
【請求項２２】
前記第２電極の前記一端は、前記第２電極の前記他端よりも前記ベンディング部分に隣接して配置され、
前記第２信号ラインは、前記第１電極と同じ方向に延長された延長部分を含み、
平面上で、前記第２信号ラインの前記延長部分のうち、一部分は、前記遮光領域に重畳し、他の一部分は、前記遮光領域から露出されることを特徴とする、請求項２１に記載のディスプレイ装置。
【発明の詳細な説明】
【技術分野】
【０００１】
本発明は、ディスプレイ装置に関し、より詳細には、入力検出センサーを含むディスプレイ装置に関する。
【背景技術】
【０００２】
テレビ、携帯電話、タブレットコンピュータ、ナビゲーション、ゲーム機などのようなマルチメディア装置に使用される多様なディスプレイ装置が開発されている。ディスプレイ装置の入力装置として、キーボード又はマウスなどを含む。なお、ディスプレイ装置は、入力装置としてタッチパネルを具備する。
【先行技術文献】
【特許文献】
【０００３】
【特許文献１】米国特許第９３３５８８１号明細書
【特許文献２】米国特許第８７１７３２１号明細書
【特許文献３】米国特許第８１９４２２３号明細書
【特許文献４】韓国登録特許第１０−１８６８４７３号公報
【特許文献５】韓国登録特許第１０−１２８７０４２号公報
【特許文献６】韓国公開特許第１０−２０１４−００１６０７１号公報
【特許文献７】韓国公開特許第１０−２００８−００２２３５９号公報
【発明の概要】
【発明が解決しようとする課題】
【０００４】
本発明の目的は、配線又は信号ラインの視認現象の減少されたディスプレイ装置を提供することである。
【課題を解決するための手段】
【０００５】
本発明の一実施形態に係るディスプレイ装置は、ウィンドウと、ディスプレイパネルと、入力検出センサーと、を備える。前記ウィンドウは、遮光パターン及び前記遮光パターンが配置された遮光領域と、前記遮光領域に隣接する透過領域と、を含むベース層を有する。前記ディスプレイパネルは、前記ウィンドウの下側に配置されてもよい。前記入力検出センサーは、前記ウィンドウと前記ディスプレイパネルとの間に配置され、前記遮光領域に対応する配線領域及び前記透過領域に対応するセンシング領域を含んでもよい。
【０００６】
前記入力検出センサーは、第１方向内で前記遮光領域の一側に定義されたパッド領域から離れるようアレンジ（ａｒｒａｎｇｅ）され、前記第１方向と交差する第２方向に延長された第１〜ｉ（ここで、ｉは２以上の自然数）番目の電極を含む第１電極グループ、前記第１電極と交差する第１〜ｊ（ここで、ｊは２以上の自然数）番目の電極を含む第２電極グループ、前記第１〜ｉ番目の電極に電気的に接続された第１〜ｉ番目の信号ラインを含む第１信号ライングループ、及び前記第１〜ｊ番目の電極に電気的に接続された第１〜ｊ番目の信号ラインを含む第２信号ライングループを含んでもよい。
【０００７】
前記第１〜ｉ番目の信号ラインの中の前記第１〜ｎ（ここで、ｎは、１以上ｉ未満の自然数）番目の信号ラインのそれぞれは、前記パッド領域から前記第１方向に延長された第１部分、前記第１〜ｉ番目の電極の中の対応する電極に接続された第２部分、及び前記パッド領域と前記センシング領域との間に配置され、複数回ベンディング（ｂｅｎｄｉｎｇ）された形状を有し、前記第１部分と前記第２部分との間に配置された第３部分を含んでもよい。前記第１信号ライングループの前記第１番目の信号ラインの前記第３部分は、前記第１信号ライングループの前記第ｎ番目の信号ラインの前記第３部分よりも長く、かつ、抵抗が大きく、平面上において、前記第１〜ｎ番目の信号ラインの少なくとも一部は、前記遮光パターンに重畳してもよい。
【０００８】
前記第１〜ｉ番目の信号ラインの抵抗は、略同一であってもよい。
【０００９】
平面上において、前記第１〜ｎ番目の信号ラインのそれぞれの前記第３部分は、前記遮光パターンに重畳してもよい。
【００１０】
前記第２信号ライングループの前記第１〜ｊ番目の信号ラインは、前記第２電極グループの前記第１〜ｊ番目の電極の前記パッド領域に隣接する、一端にそれぞれ接続されてもよい。
【００１１】
前記第２信号ライングループの前記第１〜ｊ番目の信号ラインは、前記第１信号ライングループの前記第１〜ｉ番目の信号ラインよりも長くてもよい。
【００１２】
前記第２信号ライングループの前記第ｊ番目の信号ラインは、前記第２方向内で前記第２電極グループの前記第１番目の電極から最も遠くに離隔され、前記第２信号ライングループの前記第ｊ番目の信号ラインは、前記第２方向にアレンジされた第１〜ｍ（ここで、ｍは、２以上の自然数）番目の延長部分と前記第１〜ｍ番目の延長部分との間の中間部分を含んでもよい。
【００１３】
前記第ｍ番目の延長部分は、前記第２電極グループの前記第ｊ番目の電極の前記一端に接続されてもよい。
【００１４】
前記第ｊ番目の信号ラインの前記第１〜ｍ番目の中間部分は、前記第ｊ番目の信号ラインの前記第１番目の中間部分で前記第ｊ番目の信号ラインの前記第ｍ番目の中間部分に行くほど前記センシング領域に近づいてもよい。
【００１５】
平面上において、前記第２信号ライングループの前記第ｊ番目の信号ラインの前記第１番目の中間部分は、前記遮光パターンに重畳してもよい。
【００１６】
前記第１信号ライングループの前記第１番目の信号ラインの前記第３部分は、前記第２方向内で前記第１部分から延長された基準部分、前記基準部分と前記第１方向に離隔された第１〜ｋ番目（ここで、ｋは２以上の自然数）の延長部分、並びに前記基準部分と前記第１番目の延長部分との間及び前記第１〜ｋ番目（ここでｋは２以上の自然数）の延長部分の間の中間部分を含んでもよい。前記第１〜ｋ番目の延長部分は、前記第１番目の延長部分から前記ｋ番目の延長部分に行くほど前記基準部分から離れてもよい。
【００１７】
前記第２信号ライングループの前記ｊ番目の信号ラインは、前記第２電極グループの前記第ｊ番目の電極に接続され、前記第２信号ライングループの前記第ｊ番目の信号ラインは、前記第２方向にアレンジされた第１〜ｍ（ここで、ｍは、２以上の自然数）番目の延長部分、及び前記第１〜ｍ番目の延長部分の間の中間部分を含んでもよい。前記第１〜ｋ番目の延長部分は、前記第１〜ｍ番目の延長部分の中の一部に、１対１に対応して配置されてもよい。
【００１８】
平面上において、前記第１信号ライングループの前記第１番目の信号ラインの前記第３部分の前記第１番目の延長部分は、前記遮光パターンに重畳し、前記第１番目の信号ラインの前記第３部分の前記第ｋ番目の延長部分は、前記遮光パターンに重畳せず、前記第ｋ番目の延長部分は、前記第１番目の延長部分よりも太い線幅を有してもよい。
【００１９】
前記第２信号ライングループの前記第ｊ番目の信号ラインは、絶縁層の下側に配置された第１層及び前記絶縁層の上側に配置され、前記絶縁層を貫通するコンタクトホールを通して前記第１層に接続された第２層を含んでもよい。平面上で、前記コンタクトホールは、前記中間部分又は前記中間部分に隣接する前記延長部分の末端領域に重畳してもよい。
【００２０】
前記ディスプレイパネルは、前記遮光領域に対応する非ディスプレイ領域及び前記透過領域に対応するディスプレイ領域を含んでもよい。前記ディスプレイ領域は、発光領域及び発光領域に隣接する非発光領域を含んでもよい。前記第１〜ｉ番目の電極のそれぞれは、前記発光領域に対応する開口部が定義されたメッシュ形状を有してもよい。
【００２１】
前記ディスプレイパネルは、回路層、前記回路層上のディスプレイ素子層、及び前記ディスプレイ素子層上の上部絶縁層を含んでもよい。
【００２２】
前記入力検出センサーは、前記上部絶縁層上に直接配置されてもよい。
【００２３】
前記第１信号ライングループの前記第１〜ｉ番目の信号ラインのそれぞれは、第１チタン層、前記第１のチタン層上のアルミニウム層、及び前記アルミニウム層上の第２チタン層を含んでもよい。
【００２４】
前記第１信号ライングループの前記第１〜ｉ番目の信号ラインの前記第３部分の線幅は、略同一であってもよい。
【００２５】
ディスプレイパネル及び前記入力検出センサーのそれぞれには、平面上で、内側に凹形のノッチ領域が定義されてもよい。前記第１信号ライングループの前記第１〜ｉ番目の信号ラインは、前記第１電極グループの前記第１〜ｉ番目の電極の一端にそれぞれ接続されてもよい。前記第１の電極グループの前記第１〜ｉ番目の電極の前記一端は、前記第１方向内で一列に整列されてもよい。前記第１電極グループの前記第１〜ｐ（ここで、ｐは、２以上ｉ未満の自然数）番目の電極の前記第２方向の長さは、前記第１電極グループの第（ｐ＋１）番目の電極〜前記第ｉ番目の電極の前記第２方向の長さよりも長くてもよい。前記第１電極グループの前記第（ｐ＋１）番目の電極〜前記第ｉ番目の電極の他端は、前記ノッチ領域に隣接してもよい。前記第２信号ライングループの前記第１〜ｊ番目の信号ラインは、前記第２電極グループの前記第１〜ｊ番目の電極の前記パッド領域に隣接する、一端にそれぞれ接続されてもよい。前記第２電極グループの前記第１〜ｊ番目の電極の前記一端は、前記第２方向内で一列に整列され、前記第２電極グループの前記第１〜ｑ（ここで、ｑは、２以上ｊ未満の自然数）番目の電極の前記第１方向の長さは、前記第２電極グループの第（ｑ＋１）番目の電極〜前記第ｊ番目の電極の前記第１方向の長さよりも短く、前記第１電極グループの前記第１〜ｑ番目の電極の他端は、前記ノッチ領域に隣接してもよい。
【００２６】
ディスプレイパネルと前記入力検出センサーのそれぞれには、平面上において、ホール領域が定義され、前記ディスプレイパネルの前記ホール領域及び前記入力検出センサーの前記ホール領域は、整列され、前記入力検出センサーの前記ホール領域は、前記センシング領域の内側に定義されてもよい。
【００２７】
本発明の一実施形態に係るディスプレイ装置は、遮光領域及び前記遮光領域に隣接する透過領域を含むウィンドウと、前記ウィンドウの下側に配置されたディスプレイパネルと、前記ウィンドウとディスプレイパネルとの間に配置された入力検出センサーと、を備える。前記入力検出センサーは、第１電極、前記第１電極と絶縁交差する第２電極、前記第１電極の一端に接続される第１信号ライン、前記第２電極の一端に接続される第２信号ライン、及び前記第２電極の他端に接続される第３信号ラインを含む。前記第１信号ラインの中の第１〜ｎ（２以上の自然数）番目の信号ラインは、複数回ベンディングされたベンディング部分をそれぞれ含んでもよい。前記第１番目の信号ラインから前記第ｎ番目の信号ラインに行くほど前記ベンディング部分の抵抗は小さくなり、前記第１〜ｎ番目の信号ラインは、前記第１信号ラインから前記ｎ番目の信号ラインに行くほど、前記第１電極の中の前記ベンディング部分から離れて配置された電極に接続されてもよい。平面上において、前記ベンディング部分は、前記遮光領域に重畳してもよい。
【００２８】
前記第２電極の前記一端は、前記第２電極の前記他端よりも前記ベンディング部分に隣接して配置されてもよい。前記第２信号ラインは、前記第１電極と同じ方向に延長された延長部分を含んでもよい。平面上で、前記第２信号ラインの前記延長部分の中の一部は、前記遮光領域に重畳し、他の一部は、前記遮光領域から露出されてもよい。
【発明の効果】
【００２９】
前述したところによると、入力検出センサー（ｉｎｐｕｔ  ｄｅｔｅｃｔｉｏｎ  ｓｅｎｓｏｒ）の第１電極グループに接続される第１信号ラインのグループは、略同一の抵抗を有する。したがって、センシング感度が向上する。
【００３０】
第１信号ラインの抵抗を制御する第３部分が、狭い領域に密集して配置されても、３部分に入射される外部の光が遮光パターンによって遮断されるため、第３部分における光漏れ現象を抑制することができる。
【００３１】
第３部分のベンディング領域が、第２信号ライングループのベンディン領域に対応することにより、第１信号ライングループと第２信号ライングループの外観検査の信頼性が向上する。
【図面の簡単な説明】
【００３２】
【図１】図１は、本発明の一実施形態に係るディスプレイ装置の斜視図である。
【図２Ａ】図２Ａは、本発明の一実施形態に係るディスプレイ装置の断面図である。
【図２Ｂ】図２Ｂは、本発明の一実施形態に係るディスプレイ装置の断面図である。
【図２Ｃ】図２Ｃは、本発明の一実施形態に係るディスプレイ装置の断面図である。
【図２Ｄ】図２Ｄは、本発明の一実施形態に係るディスプレイ装置の断面図である。
【図３Ａ】図３Ａは、本発明の一実施形態に係るディスプレイパネルの断面図である。
【図３Ｂ】図３Ｂは、本発明の一実施形態に係るディスプレイパネルの断面図である。
【図４】図４は、本発明の一実施形態に係るディスプレイパネルの平面図である。
【図５Ａ】図５Ａは、本発明の一実施形態に係るディスプレイパネルの拡大された断面図である。
【図５Ｂ】図５Ｂは、本発明の一実施形態に係る上部絶縁層の拡大された断面図である。
【図６Ａ】図６Ａは、本発明の一実施形態に係る入力検出センサーの断面図である。
【図６Ｂ】図６Ｂは、本発明の一実施形態に係る入力検出センサーの平面図である。
【図６Ｃ】図６Ｃは、図６ＢのＩ−Ｉ’に対応する断面図である。
【図６Ｄ】図６Ｄは、図６ＢのＩＩ−ＩＩ’に対応する断面図である。
【図６Ｅ】図６Ｅは、本発明の一実施形態に係る信号ラインの断面図である。
【図６Ｆ】図６Ｆは、図６ＢのＡＡ領域についての拡大された平面図である。
【図７Ａ】図７Ａは、本発明の一実施形態に係る入力検出センサーの一部分を拡大した平面図である。
【図７Ｂ】図７Ｂは、図７ＡのＩＩＩ−ＩＩＩ’に対応するディスプレイ装置の断面図である。
【図７Ｃ】図７Ｃは、図７ＡのＢＢ領域についての拡大した平面図である。
【図８Ａ】図８Ａは、本発明の一実施形態に係る入力検出センサーの一部分を拡大した平面図である。
【図８Ｂ】図８Ｂは、図８Ａの一部を拡大した平面図である。
【図８Ｃ】図８Ｃは、本発明の一実施形態に係る入力検出センサーの一部分を拡大した平面図である。
【図９Ａ】図９Ａは、本発明の一実施形態に係るディスプレイモジュールの斜視図である。
【図９Ｂ】図９Ｂは、本発明の一実施形態に係る入力検出センサーの平面図である。
【図１０Ａ】図１０Ａは、本発明の一実施形態に係るディスプレイモジュールの斜視図である。
【図１０Ｂ】図１０Ｂは、本発明の一実施形態に係る入力検出センサーの平面図である。
【図１１Ａ】図１１Ａは、本発明の一実施形態に係るディスプレイモジュールの斜視図である。
【図１１Ｂ】図１１Ｂは、本発明の一実施形態に係る入力検出センサーの平面図である。
【発明を実施するための形態】
【００３３】
以下、図面を参照して本発明の一実施形態を説明する。本明細書では、ある構成要素（又は領域、層、部分など）が、他の構成要素「上にある」、「に接続される」、又は「に結合される」と述べられる場合に、それは、他の構成要素上に直接接続／結合されるか、又はそれらの間に第３構成要素が配置される可能性もあることを意味する。
【００３４】
同一の図面符号は同一の構成要素を指す。また、図面において、構成要素の厚さ、比率及び寸法は、技術的内容の効果的な説明のために誇張されたものである。「及び／又は」は、関連する構成が定義可能な１つ以上の組み合わせをすべて含む。
【００３５】
第１、第２などの用語は、多様な構成要素を説明するために使用されるが、前記構成要素は、前記用語によって限定されない。前記用語は、１つの構成要素を他の構成要素から区別するために使用される。例えば、本発明の権利範囲を逸脱しない範囲において、第１構成要素は、第２構成要素と呼ばれてもよく、同様に第２構成要素も第１構成要素と呼ばれてもよい。単数の表現は、文脈上別異の意味が明らかでない限り、複数の表現を含む。
【００３６】
なお、「下に」、「下側に」、「上に」、「上側に」などの用語は、図面に図示された構成要素の結合関係を説明するために使用される。前記用語は、相対的な概念で、図面に示されている方向を基準に説明される。
【００３７】
「含む」又は「有する」などの用語は、明細書上に記載された特徴、数字、段階、動作、構成要素、部品又はこれらを組み合わせたものが存在することを指定しようとするのであって、一つ以上の他の特徴、数字、段階、動作、構成要素、部品又はこれらを組み合わせたものの存在や付加の可能性を予め排除しないものと理解されるべきである。
【００３８】
図１は、本発明の一実施形態に係るディスプレイ装置ＤＤの斜視図である。図１に図示されたように、ディスプレイ装置ＤＤは、ディスプレイ面ＤＤ−ＩＳを介してイメージＩＭを表示することができる。ディスプレイ面ＤＤ−ＩＳは、第１方向軸ＤＲ１及び第２方向軸ＤＲ２が定義する面と平行である。ディスプレイ面ＤＤ−ＩＳの法線方向、すなわちディスプレイ装置ＤＤの厚さ方向は、第３方向軸ＤＲ３によって示される。
【００３９】
以下で説明される各部材やユニットの前面（又は上面）及び背面（又は底面）は、第３方向軸ＤＲ３によって区分される。しかし、本発明の一実施形態に図示した第１〜第３方向軸ＤＲ１、ＤＲ２、ＤＲ３は、例示に過ぎない。以下、第１〜第３方向は、第１〜第３方向軸ＤＲ１、ＤＲ２、ＤＲ３のそれぞれによって示される方向であり、同一の図面符号を参照する。
【００４０】
本発明の一実施形態では、平面型ディスプレイ面を具備したディスプレイ装置ＤＤを図示したが、この構成に限定されない。ディスプレイ装置ＤＤは、曲面型ディスプレイ面又は立体型ディスプレイ面を含むこともできる。立体型ディスプレイ面は、互いに異なる方向を示す複数のディスプレイ領域を含み、例えば、多角形の円柱型ディスプレイ面を含むこともできる。
【００４１】
本発明の一実施形態に係るディスプレイ装置ＤＤは、リジッド（ｒｉｇｉｄ）ディスプレイ装置であり得る。しかし、本発明の一実施形態に係るディスプレイ装置ＤＤは、ここで示された構成に限定されず、フレキシブルディスプレイ装置ＤＤであり得る。本発明の一実施形態では、携帯電話端末機に適用可能なディスプレイ装置ＤＤを例として図示した。図示は省略するが、メインボードに実装された電子モジュール、カメラモジュール、電源モジュールなどがディスプレイ装置ＤＤとともにブラケット／ケースなどに配置されることにより、携帯電話端末機を構成することができる。本発明の一実施形態に係るディスプレイ装置ＤＤは、テレビ、モニターなどのような大型の電子装置をはじめ、タブレット、カーナビゲーション、ゲーム機、スマートウォッチなどの中小型の電子装置などに適用される。
【００４２】
図１に図示されたように、ディスプレイ面ＤＤ−ＩＳは、イメージＩＭがディスプレイされるイメージ領域ＤＤ−ＤＡ及びイメージ領域ＤＤ−ＤＡに隣接するベゼル領域ＤＤ−ＮＤＡを含む。ベゼル領域ＤＤ−ＮＤＡは、イメージが表示されない領域である。図１には、イメージＩＭの一例として、アイコンのイメージを図示した。
【００４３】
図１に図示されたように、イメージ領域ＤＤ−ＤＡは、長方形の形状であり得る。ベゼル領域ＤＤ−ＮＤＡは、イメージ領域ＤＤ−ＤＡを取り囲むことができる。ただし、イメージ領域ＤＤ−ＤＡの形状及びベゼル領域ＤＤ−ＮＤＡの形状は、図１に図示された構成に限定されず、相対的にデザインされる。
【００４４】
図２Ａ〜２Ｄは、本発明の一実施形態に係るディスプレイ装置ＤＤの断面図である。図２Ａ〜図２Ｄは、第２方向軸ＤＲ２と第３方向軸ＤＲ３が定義する断面を図示した。図２Ａ〜２Ｄは、ディスプレイ装置ＤＤを構成する機能性パネル及び／又は機能性ユニットの積層関係を説明するために、単純に図示された。
【００４５】
本発明の一実施形態に係るディスプレイ装置ＤＤは、ディスプレイパネル、入力検出センサー、反射防止ユニット、及びウィンドウを含む。ディスプレイパネル、入力検出センサー、反射防止ユニット、及びウィンドウの中の少なくとも一部の構成は、連続工程により形成されるか、又は少なくとも一部の構成は、接着部材を介して互いに結合される。図２Ａ〜図２Ｄには、接着部材として光学透明接着部材ＯＣＡが例として図示された。以下において、説明される接着部材は、例えば、一般的に利用される接着剤又は粘着剤を含む。本発明の一実施形態では、反射防止ユニット及びウィンドウは、他の構成に代替されてもよく、省略されてもよい。
【００４６】
図２Ａ〜図２Ｄにおいて、入力検出センサー、反射防止ユニット、及びウィンドウの中の他の構成で、連続工程を介して、形成された構成は、「層」と表現される。入力検出センサー、反射防止ユニット、及びウィンドウの中の他の構成に、接着部材を介して、結合された構成は、「パネル」と表現される。パネルは、ベース面を提供するベース層、例えば合成樹脂フィルム、複合材料フィルム、ガラス基板などを含むが、「層」は、前記ベース層が省略されることができる。言い換えれば、「層」と表現される前記ユニットは、他のユニットが提供されるベース面上に配置される。
【００４７】
入力検出センサー、反射防止ユニット及びウィンドウは、ベース層の有／無に基づいて入力検出パネルＩＳＰ、反射防止パネルＲＰＰ及びウィンドウパネルＷＰ、又は入力検出層ＩＳＬ、反射防止層ＲＰＬ及びウィンドウ層ＷＬと称される。
【００４８】
図２Ａに図示されたように、ディスプレイ装置ＤＤは、ディスプレイパネルＤＰ、入力検出層ＩＳＬ、反射防止パネルＲＰＰ、及びウィンドウパネルＷＰを含む。入力検出層ＩＳＬは、ディスプレイパネルＤＰに直接配置される。本明細書では、「Ｂの構成がＡの構成上に直接配置される」というのは、Ａの構成とＢの構成との間に、別の接着層／接着部材が配置されていないことを意味する。Ｂの構成は、Ａの構成が形成された後、Ａの構成が提供されるベース面上に連続工程を介して形成される。
【００４９】
ディスプレイパネルＤＰとディスプレイパネルＤＰ上に直接配置された入力検出層ＩＳＬは、ディスプレイモジュールＤＭとして定義される。ディスプレイモジュールＤＭと反射防止パネルＲＰＰの間に、及び反射防止パネルＲＰＰとウィンドウパネルＷＰの間に、光学透明接着部材ＯＣＡが配置される。
【００５０】
ディスプレイパネルＤＰは、イメージを生成し、入力検出層ＩＳＬは、外部入力（例えば、タッチイベント）の座標情報を取得する。図示は省略するが、本発明の一実施形態に係るディスプレイモジュールＤＭは、ディスプレイパネルＤＰの下面に配置された保護部材をさらに含む。保護部材とディスプレイパネルＤＰは、接着部材を介して結合される。以下で、説明される図２Ｂ〜図２Ｄのディスプレイ装置ＤＤも保護部材をさらに含む。
【００５１】
本発明の一実施形態によるディスプレイパネルＤＰは、例えば、発光型ディスプレイパネルであるが、ここで示される構成に限定されない。例えば、ディスプレイパネルＤＰは、有機発光ディスプレイパネル又は量子ドット発光ディスプレイパネルであってもよい。有機発光ディスプレイパネルの発光層は、有機発光物質を含む。量子ドット発光ディスプレイパネルの発光層は、量子ドット及び量子ロッドなどを含む。以下において、ディスプレイパネルＤＰは、有機発光ディスプレイパネルとして説明される。
【００５２】
反射防止パネルＲＰＰは、ウィンドウパネルＷＰの上側から入射される外部の光の反射率を減少させる。本発明の一実施形態に係る反射防止パネルＲＰＰは、位相差板（ｒｅｔａｒｄｅｒ）及び偏光板（ｐｏｌａｒｉｚｅｒ）を含む。位相差板は、フィルムタイプ又は液晶コーティングタイプであり得るし、λ／２位相差板及び／又はλ／４位相差板であってもよい。偏光板も、フィルムタイプ又は液晶コーティングタイプであり得る。フィルムタイプは、延伸型合成樹脂フィルムを含み、液晶コーティングタイプは、所定のフォームでアレンジされた液晶を含む。本発明の一実施形態に係る反射防止パネルＲＰＰは、位相差板及び偏光板の保護フィルムをさらに含むことができる。位相差板（ｒｅｔａｒｄｅｒ）及び偏光板（ｐｏｌａｒｉｚｅｒ）自体、又は保護フィルムが反射防止パネルＲＰＰのベース層として定義される。
【００５３】
本発明の一実施形態に係る反射防止パネルＲＰＰは、カラーフィルタを含む。カラーフィルタは、所定の配列を有する。ディスプレイパネルＤＰに含まれている画素の発光色を考慮して、カラーフィルタの配列が決定される。反射防止パネルＲＰＰは、カラーフィルタに隣接するブラックマトリックスをさらに含む。
【００５４】
本発明の一実施形態に係る反射防止パネルＲＰＰは、弱め合う干渉の構造物を含む。例えば、弱め合う干渉の構造物は、互いに異なる層上に配置された第１反射層及び第２反射層を含む。第１反射層及び第２反射層からそれぞれ反射された第１反射光と第２反射光は、弱め合う干渉となり、それによって外部の光の反射率が減少される。
【００５５】
本発明の一実施形態に係るウィンドウパネルＷＰは、ベース層ＷＰ−ＢＳ及び遮光パターンＷＰ−ＢＺを含む。ベース層ＷＰ−ＢＳは、ガラス基板及び／又は合成樹脂フィルムなどを含む。ベース層ＷＰ−ＢＳは、単層に制限されない。ベース層ＷＰ−ＢＳは、接着部材で結合された２以上のフィルムを含む。
【００５６】
遮光パターンＷＰ−ＢＺは、ベース層ＷＰ−ＢＳに部分的に重畳する。遮光パターンＷＰ−ＢＺは、ベース層ＷＰ−ＢＳの背面に配置され、ベース層ＷＰ−ＢＳの遮光領域ＷＰ−ＮＴに配置される。遮光領域ＷＰ−ＮＴは、ディスプレイ装置ＤＤのベゼル領域ＤＤ−ＮＤＡを定義することができる。遮光パターンＷＰ−ＢＺが未配置となった領域は、ウィンドウパネルＷＰの透過領域ＷＰ−Ｔとして定義される。
【００５７】
遮光パターンＷＰ−ＢＺは、有色の有機膜として、例えば、コーティング方式で形成される。図示は省略するが、ウィンドウパネルＷＰは、ベース層ＷＰ−ＢＳの前面に配置された機能性コーティング層をさらに含む。機能性コーティング層は、指紋防止層、反射防止層、及びハードコーティング層などを含む。以下で参照される図２Ｂ〜図２Ｄにおいて、ウィンドウパネルＷＰ及びウィンドウ層ＷＬは、ベース層ＷＰ−ＢＳ及び遮光パターンＷＰ−ＢＺを省略し、簡略的に図示された。
【００５８】
図２Ｂ及び図２Ｃに図示されたように、ディスプレイ装置ＤＤは、ディスプレイパネルＤＰ、入力検出パネルＩＳＰ、反射防止パネルＲＰＰ、及びウィンドウパネルＷＰを含む。入力検出パネルＩＳＰと反射防止パネルＲＰＰの積層順序は、変更されることができる。
【００５９】
図２Ｄに図示されたように、ディスプレイ装置ＤＤは、ディスプレイパネルＤＰ、入力検出層ＩＳＬ、反射防止層ＲＰＬ、及びウィンドウ層ＷＬを含む。ディスプレイ装置ＤＤから接着部材が省略され、ディスプレイパネルＤＰに提供されるベース面上に入力検出層ＩＳＬ、反射防止層ＲＰＬ、及びウィンドウ層ＷＬが連続工程で形成される。入力検出層ＩＳＬと反射防止層ＲＰＬの積層順序は、変更されることができる。
【００６０】
図３Ａ及び図３Ｂは、本発明の一実施形態によるディスプレイパネルＤＰの断面図である。
【００６１】
図３Ａに図示されたように、ディスプレイパネルＤＰは、ベース層ＢＬ、ベース層ＢＬ上に配置された回路素子層ＤＰ−ＣＬ、ディスプレイ素子層ＤＰ−ＯＬＥＤ及び上部絶縁層ＴＦＬを含む。図１に図示されたイメージ領域ＤＤ−ＤＡ及びベゼル領域ＤＤ−ＮＤＡに対応するディスプレイ領域ＤＰ−ＤＡと非ディスプレイ領域ＤＰ−ＮＤＡが、ディスプレイパネルＤＰで定義される。本発明の一実施形態では、領域と領域が対応するということは、互いに重畳することを意味し、同じ面積を有するものに限定されない。
【００６２】
ベース層ＢＬは、少なくとも一つのプラスチックフィルムを含む。ベース層ＢＬは、プラスチック基板、ガラス基板、メタル（ｍｅｔａｌ）基板、又は有機／無機複合材料基板などを含む。
【００６３】
回路素子層ＤＰ−ＣＬは、少なくとも一つの中間絶縁層及び回路素子を含む。中間絶縁層は、少なくとも一つの中間無機膜及び少なくとも一つの中間有機膜を含む。前記回路素子は、信号ライン、画素の駆動回路などを含む。これに対する詳細な説明は後述する。
【００６４】
ディスプレイ素子層ＤＰ−ＯＬＥＤは、少なくとも有機発光ダイオードを含む。ディスプレイ素子層ＤＰ−ＯＬＥＤは、画素定義膜のような有機膜をさらに含む。
【００６５】
上部絶縁層ＴＦＬは、複数の薄膜を含む。いくつかの薄膜は、光学効率を向上させるために配置され、いくつかの薄膜は、有機発光ダイオードを保護するために配置される。上部絶縁層ＴＦＬに対する詳細な説明は、後述する。
【００６６】
図３Ｂに図示されたように、ディスプレイパネルＤＰは、ベース層ＢＬ、ベース層ＢＬ上に配置された回路素子層ＤＰ−ＣＬ、ディスプレイ素子層ＤＰ−ＯＬＥＤ、封止基板ＥＳ及びベース層ＢＬと封止基板ＥＳとを結合するシーラントＳＭを含む。封止基板ＥＳは、ディスプレイ素子層ＤＰ−ＯＬＥＤから所定のギャップＧＰを置いて離隔される。ベース層ＢＬ及び封止基板ＥＳは、プラスチック基板、ガラス基板、メタル基板、又は有機／無機複合材料基板などを含む。シーラントＳＭは、有機接着部材又はフリット（ｆｒｉｔ）などを含む。
【００６７】
図４は、本発明の一実施形態によるディスプレイパネルＤＰの平面図である。図５Ａは、本発明の一実施形態によるディスプレイパネルＤＰの拡大された断面図である。図５Ｂは、本発明の一実施形態に係る上部絶縁層ＴＦＬの拡大された断面図である。図５ＡのディスプレイパネルＤＰは、図３ＡのディスプレイパネルＤＰを基準に図示した。
【００６８】
図４に図示されたように、ディスプレイパネルＤＰは、駆動回路ＧＤＣ、複数の信号ラインＳＧＬ（以下、信号ライン）、複数の信号パッドＤＰ−ＰＤ（以下、信号パッド）及び複数の画素ＰＸ（以下、画素）を含む。
【００６９】
ディスプレイ領域ＤＰ−ＤＡは、画素ＰＸが配置された領域として定義される。画素ＰＸのそれぞれは、有機発光ダイオードと、それに接続された画素駆動回路と、を含む。駆動回路ＧＤＣ、信号ラインＳＧＬ、信号パッドＤＰ−ＰＤ及び画素駆動回路は、図３Ａ及び図３Ｂに図示された回路素子層ＤＰ−ＣＬに包含される。
【００７０】
駆動回路ＧＤＣは、走査駆動回路を含む。走査駆動回路は、複数の走査信号（以下、走査信号）を生成し、走査信号を後述する複数の走査ラインＧＬ（以下、走査ライン）に順次出力する。走査駆動回路は、画素ＰＸの駆動回路に別の制御信号を、さらに出力できる。
【００７１】
走査駆動回路は、画素ＰＸの駆動回路と同じ工程、例えば、ＬＴＰＳ（Ｌｏｗ  Ｔｅｍｐｅｒａｔｕｒｅ  Ｐｏｌｙｃｒｙｓｔａｌｉｎｅ  Ｓｉｌｉｃｏｎ）工程又はＬＴＰＯ（Ｌｏｗ  Ｔｅｍｐｅｒａｔｕｒｅ  Ｐｏｌｙｃｒｙｓｔａｌｌｉｎｅ  Ｏｘｉｄｅ）工程を通して形成された複数の薄膜トランジスタを含む。
【００７２】
信号ラインＳＧＬは、走査ラインＧＬ、データラインＤＬは、電源ラインＰＬ、及び制御信号ラインＣＳＬを含む。走査ラインＧＬは、画素ＰＸの中の対応する画素ＰＸにそれぞれ接続され、データラインＤＬは、画素ＰＸの中の対応する画素ＰＸにそれぞれ接続される。電源ラインＰＬは、画素ＰＸに接続される。制御信号ラインＣＳＬは、走査駆動回路に制御信号を提供する。
【００７３】
信号ラインＳＧＬは、ディスプレイ領域ＤＰ−ＤＡ及び非ディスプレイ領域ＤＰ−ＮＤＡに重畳する。信号ラインＳＧＬは、パッド部及びライン部を含む。ライン部は、ディスプレイ領域ＤＰ−ＤＡ及び非ディスプレイ領域ＤＰ−ＮＤＡに重畳する。パッド部は、ライン部の末端に接続される。パッド部は、非ディスプレイ領域ＤＰ−ＮＤＡに配置され、信号パッドＤＰ−ＰＤの中の対応する信号パッドに重畳する。非ディスプレイ領域ＤＰ−ＮＤＡの中で信号パッドＤＰ−ＰＤが配置された領域は、パッド領域ＤＰ−ＰＡとして定義される。回路基板（図示は省略）がパッド領域ＤＰ−ＰＡに接続されることができる。
【００７４】
画素ＰＸに接続されたライン部が、信号ラインＳＧＬの大部分を構成する。ライン部は、画素ＰＸのトランジスタＴ１、Ｔ２（図５Ａを参照）に接続される。ライン部は、単層／多層構造を有することができ、一体の形状（ｓｉｎｇｌｅ  ｂｏｄｙ）であるか、又は２以上の部分を含む。２以上の部分は、互いに異なる層上に配置され、２以上の部分との間に配置された絶縁層を貫通するコンタクトホールを通して、互いに接続される。
【００７５】
図５Ａは、トランジスタＴ１、Ｔ２及び発光ダイオードＯＬＥＤに対応するディスプレイパネルＤＰの部分断面を示した。ベース層ＢＬ上に配置された回路素子層ＤＰ−ＣＬは、少なくとも一つの絶縁層及び回路素子を含む。回路素子は、信号ライン、画素の駆動回路などを含む。コーティング、蒸着又はそのようなものによる絶縁層、半導体層及び導電層の形成工程、並びにフォトリソグラフィ工程による絶縁層、半導体層及び導電層のパターニング工程を通して回路素子層ＤＰ−ＣＬが形成される。
【００７６】
本発明の一実施形態において、回路素子層ＤＰ−ＣＬは、無機膜であるバッファ膜ＢＦＬ、第１中間無機膜１０及び第２中間無機膜２０を含み、有機膜である中間有機膜３０を含む。バッファ膜ＢＦＬは、積層された複数の無機膜を含む。図５Ａには、スイッチングトランジスタＴ１と駆動トランジスタＴ２を構成する第１半導体パターンＯＳＰ１、第２半導体パターンＯＳＰ２、第１制御電極ＧＥ１、第２制御電極ＧＥ２、第１入力電極ＤＥ１、第１出力電極ＳＥ１、第２入力電極ＤＥ２、及び第２出力電極ＳＥ２の配置関係が一例として図示された。第１〜第４貫通ホールＣＨ１〜ＣＨ４も、一例として図示された。
【００７７】
ディスプレイ素子層ＤＰ−ＯＬＥＤは、有機発光ダイオードＯＬＥＤを含む。ディスプレイ素子層ＤＰ−ＯＬＥＤは、画素定義膜ＰＤＬを含む。例えば、画素定義膜ＰＤＬは有機層であり得る。
【００７８】
中間有機膜３０上に第１電極ＡＥが配置される。第１電極ＡＥは、中間有機膜３０を貫通する第５貫通ホールＣＨ５を介して第２出力電極ＳＥ２に接続される。画素定義膜ＰＤＬは、開口部ＯＰが定義される。画素定義膜ＰＤＬの開口部ＯＰは、第１電極ＡＥの少なくとも一部分を露出させる。画素定義膜ＰＤＬの開口部ＯＰは、他の開口部と区別するため、発光開口部と呼ばれる。
【００７９】
図５Ａに図示されたように、ディスプレイ領域ＤＰ−ＤＡは、発光領域ＰＸＡ及び発光領域ＰＸＡに隣接する非発光領域ＮＰＸＡを含む。非発光領域ＮＰＸＡは、発光領域ＰＸＡを取り囲むことができる。本発明の一実施形態では、発光領域ＰＸＡは、発光開口部ＯＰによって露出された第１電極ＡＥの一部の領域に対応して定義された。
【００８０】
正孔制御層ＨＣＬは、発光領域ＰＸＡと非発光領域ＮＰＸＡに共通して配置することができる。正孔制御層ＨＣＬは、正孔輸送層を含み、正孔注入層をさらに含むことができる。正孔制御層ＨＣＬ上に発光層ＥＭＬが配置される。発光層ＥＭＬは、発光開口部ＯＰに対応する領域に配置される。つまり、発光層ＥＭＬは画素のそれぞれに分離して形成される。発光層ＥＭＬは、有機物質及び／又は無機物質を含む。発光層ＥＭＬは、所定の色光を生成できる。
【００８１】
発光層ＥＭＬ上に電子制御層ＥＣＬが配置される。電子制御層ＥＣＬは、電子輸送層を含み、電子注入層をさらに含む。正孔制御層ＨＣＬと電子制御層ＥＣＬは、オープンマスクを利用して、複数の画素に共通に形成されることができる。電子制御層ＥＣＬ上に第２電極ＣＥが配置される。第２電極ＣＥは、一体の形状を有して複数の画素に共通して配置される。
【００８２】
図５Ａ及び図５Ｂに図示されたように、第２電極ＣＥ上に上部絶縁層ＴＦＬが配置される。上部絶縁層ＴＦＬは、複数の薄膜を含む。本発明の一実施形態のように、上部絶縁層ＴＦＬは、キャッピング（ｃａｐｐｉｎｇ）層ＣＰＬと薄膜封止層ＴＦＥを含む。薄膜封止層ＴＦＥは、第１無機層ＩＯＬ１、有機層ＯＬ、及び第２無機層ＩＯＬ２を含むことができる。
【００８３】
キャッピング層ＣＰＬは、第２電極ＣＥ上に配置され、第２電極ＣＥに接触する。キャッピング層ＣＰＬは、有機物質を含む。第１無機層ＩＯＬ１は、キャッピング層ＣＰＬ上に配置され、キャッピング層ＣＰＬに接触する。有機層ＯＬは、第１無機層ＩＯＬ１上に配置され、第１無機層ＩＯＬ１に接触する。第２無機層ＩＯＬ２は、有機層ＯＬ上に配置され、有機層ＯＬに接触する。
【００８４】
キャッピング層ＣＰＬは、後続の工程、例えばスパッタリング工程から第２電極ＣＥを保護し、有機発光ダイオードＯＬＥＤの発光効率を向上させる。キャッピング層ＣＰＬは、第１無機層ＩＯＬ１よりも大きい屈折率を有し得る。
【００８５】
第１無機層ＩＯＬ１及び第２無機層ＩＯＬ２は、水分／酸素からディスプレイ素子層ＤＰ−ＯＬＥＤを保護し、有機層ＯＬは、ダスト（ｄｕｓｔ）粒子のような異物質からディスプレイ素子層ＤＰ−ＯＬＥＤを保護する。第１無機層ＩＯＬ１及び第２無機層ＩＯＬ２は、シリコンナイトライド層、シリコンオキシナイトライド層、シリコンオキサイド層のいずれか一つである。本発明の一実施形態では、第１無機層ＩＯＬ１及び第２無機層ＩＯＬ２は、酸化チタン層、酸化アルミニウム層などを含む。有機層ＯＬは、アクリル系有機層を含むことができるが、この構成に限定されない。
【００８６】
本発明の一実施形態では、キャッピング層ＣＰＬと第１無機層ＩＯＬ１との間に無機層、例えばＬｉＦ（フッ化リチウム）層が、さらに配置される。ＬｉＦ層は、発光素子ＯＬＥＤの発光効率を向上させる。
【００８７】
図６Ａは、本発明の一実施形態に係る入力検出センサーＩＳＬの断面図である。図６Ｂは、本発明の一実施形態に係る入力検出センサーＩＳＬの平面図である。図６Ｃは、図６ＢのＩ−Ｉ’に対応する断面図である。図６Ｄは、図６ＢのＩＩ−ＩＩ’に対応する断面図である。図６Ｅは、本発明の一実施形態に係る信号ラインの断面図である。図６Ｆは、図６ＢのＡＡ領域についての拡大された平面図である。本発明の一実施形態では、「層」タイプの入力検出センサーＩＳＬを例として図示した。図６Ｃ及び図６ＤでディスプレイパネルＤＰは、簡略的に図示された。
【００８８】
図６Ａに図示されたように、入力検出センサーＩＳＬは、第１絶縁層ＩＳ−ＩＬ１、第１導電層ＩＳ−ＣＬ１、第２絶縁層ＩＳ−ＩＬ２、第２導電層ＩＳ−ＣＬ２、及び第３絶縁層ＩＳ−ＩＬ３を含む。第１絶縁層ＩＳ−ＩＬ１は、上部絶縁層ＴＦＬ上に直接配置される。本発明の一実施形態において、第１絶縁層ＩＳ−ＩＬ１は、省略されることができる。
【００８９】
第１導電層ＩＳ−ＣＬ１及び第２導電層ＩＳ−ＣＬ２のそれぞれは、単層構造を有してもよく、第３方向軸ＤＲ３に沿って積層された多層構造を有してもよい。多層構造の導電層は、透明導電層と金属層の中から少なくとも２以上を含む。多層構造の導電層は、異なる金属を含む金属層を含んでもよい。透明導電層は、ＩＴＯ（ｉｎｄｉｕｍ  ｔｉｎ  ｏｘｉｄｅ）、ＩＺＯ（ｉｎｄｉｕｍ  ｚｉｎｃ  ｏｘｉｄｅ）、ＺｎＯ（ｚｉｎｃ  ｏｘｉｄｅ）、ＩＴＺＯ（ｉｎｄｉｕｍ  ｔｉｎ  ｚｉｎｃ  ｏｘｉｄｅ）、ＰＥＤＯＴ、金属ナノワイヤー、及びグラフェンを含む。金属層は、モリブデン、銀、チタン、銅、アルミニウム、及びこれらの合金を含む。例えば、第１導電層ＩＳ−ＣＬ１及び第２導電層ＩＳ−ＣＬ２のそれぞれは、３層の金属層の構造、例えば、チタン／アルミニウム／チタンの３層構造を有し得る。
【００９０】
第１導電層ＩＳ−ＣＬ１及び第２導電層ＩＳ−ＣＬ２のそれぞれは、複数の導電パターンを含む。以下、第１導電層ＩＳ−ＣＬ１は、第１導電パターンを含み、第２導電層ＩＳ−ＣＬ２は、第２導電パターンを含むものと説明される。第１導電パターンと第２導電パターンのそれぞれは、検出電極及びこれに接続された信号ラインを含むことができる。
【００９１】
第１絶縁層ＩＳ−ＩＬ１〜第３絶縁層ＩＳ−ＩＬ３のそれぞれは、無機物又は有機物を含む。本発明の一実施形態では、第１絶縁層ＩＳ−ＩＬ１及び第２絶縁層ＩＳ−ＩＬ２は、無機物を含む無機膜である。無機膜は、アルミニウムオキサイド、チタニウムオキサイド、シリコンオキサイド、シリコンオキシナイトライド、ジルコニウムオキサイド、及びハフニウムオキサイドの中の少なくとも一つを含む。第３絶縁層ＩＳ−ＩＬ３は、有機膜を含むことができる。有機膜は、アクリル系樹脂、メタクリル系樹脂、ポリイソプレン、ビニル系樹脂、エポキシ系樹脂、ウレタン系樹脂、セルロース系樹脂、シロキサン系樹脂、ポリイミド系樹脂、ポリアミド系樹脂、及びフェリルレン系樹脂の中の少なくともいずれか一つを含む。
【００９２】
図６Ｂに図示されたように、入力検出センサーＩＳＬは、ディスプレイパネルＤＰ（図４参照）のディスプレイ領域ＤＰ−ＤＡ（図４参照）及び非ディスプレイ領域ＤＰ−ＮＤＡ（図４参照）に対応するセンシング領域ＩＳ−ＤＡ及び配線領域ＩＳ−ＮＤＡを含む。センシング領域ＩＳ−ＤＡは、後述する第１電極グループＥＧ１及び第２電極グループＥＧ２が配置された領域として定義される。
【００９３】
入力検出センサーＩＳＬは、第１電極グループＥＧ１、第２電極グループＥＧ２、第１電極グループＥＧ１に接続された第１信号ライングループＳＧ１、及び第２電極グループＥＧ２に接続された第２信号ライングループＳＧ２を含む。配線領域ＩＳ−ＮＤＡには、信号パッドが配置されるパッド領域ＩＳ−ＰＡが定義される。パッド領域ＩＳ−ＰＡは、回路基板（図示せず）が接続されることができる。本発明の一実施形態では、単一の回路基板を介してディスプレイパネルＤＰのパッド領域ＤＰ−ＰＡ（図４を参照）及び入力検出センサーＩＳＬのパッド領域ＩＳ−ＰＡが、接続されることができる。
【００９４】
パッド領域ＩＳ−ＰＡは、第１パッド領域ＩＳ−ＰＡ１及び第２パッド領域ＩＳ−ＰＡ２を含む。第１パッド領域ＩＳ−ＰＡ１及び第２パッド領域ＩＳ−ＰＡ２には、第１パッドＩＳ−ＰＤ１及び第２パッドＩＳ−ＰＤ２が、それぞれ配置される。第１パッドＩＳ−ＰＤ１及び第２パッドＩＳ−ＰＤ２は、第１信号ライングループＳＧ１及び第２信号ライングループＳＧ２の信号ラインの末端部であるか、又は第１信号ライングループＳＧ１及び第２信号ライングループＳＧ２の信号ラインの末端部に接続された他の電極であり得る。
【００９５】
第１電極グループＥＧ１は、第１〜ｉ（ここで、ｉは、２以上の自然数）番目の電極を含む。本発明の一実施形態では、ｉは１０である。第１〜１０番目の電極ＩＥ１−１〜ＩＥ１−１０は、第２方向ＤＲ２に延長された形状を有する。第１〜１０番目の電極ＩＥ１−１〜ＩＥ１−１０は、第１方向ＤＲ１内でパッド領域ＩＳ−ＰＡから離れるようにアレンジされる。
【００９６】
第２電極グループＥＧ２は、第１〜ｊ（ここで、ｊは、２以上の自然数）番目の電極を含む。本発明の一実施形態では、ｊは８である。第１〜８番目の電極ＩＥ２−１〜ＩＥ２−８は、第１方向ＤＲ１に延長された形状を有する。第１〜８番目の電極ＩＥ２−１〜ＩＥ２−８は、第２方向ＤＲ１内で順次アレンジされる。本発明の一実施形態では、第１番目の電極ＩＥ２−１は、最も左側に配置されたものと説明される。
【００９７】
第１信号ライングループＳＧ１は、第１〜ｉ番目の信号ラインを含む。本発明の一実施形態では、ｉは１０である。第１〜１０番目の信号ラインＳＬ１−１〜ＳＬ１−１０は、第１〜１０番目の電極ＩＥ１−１〜ＩＥ１−１０の一端にそれぞれ接続される。図６Ｂに図示されたように、第１〜１０番目の信号ラインＳＬ１−１〜ＳＬ１−１０は、第１〜１０番目の電極ＩＥ１−１〜ＩＥ１−１０の右端にそれぞれ接続される。第１〜１０番目の信号ラインＳＬ１−１〜ＳＬ１−１０と接続された第１パッドＩＳ−ＰＤ１は、第１パッド領域ＩＳ−ＰＡ１に整列される。
【００９８】
第２信号ライングループＳＧ２は、第１〜ｊ番目の信号ラインを含む。本発明の一実施形態では、ｊは８である。第１〜８番目の信号ラインＳＬ２−１〜ＳＬ２−８は、第１〜８番目の電極ＩＥ２−１〜ＩＥ２−８の一端にそれぞれ接続される。図６Ｂに図示されたように、第１〜８番目の信号ラインＳＬ２−１〜ＳＬ２−８は、第１〜８番目の電極ＩＥ２−１〜ＩＥ２−８の下側端にそれぞれ接続される。第１〜８番目の電極ＩＥ２−１〜ＩＥ２−８と接続された第２パッドＩＳ−ＰＤ２は、第２パッド領域ＩＳ−ＰＡ２に整列される。
【００９９】
本発明の一実施形態では、入力検出センサーＩＳＬは、第１〜ｊ番目の信号ラインを含む第３信号ライングループＳＧ３をさらに含むことができる。本発明の一実施形態では、ｊは８である。第１〜８番目の信号ラインＳＬ３−１〜ＳＬ３−８は、第１〜８番目の電極ＩＥ２−１〜ＩＥ２−８の上側端にそれぞれ接続される。第１〜８番目の信号ラインＳＬ３−１〜ＳＬ３−８と接続された第３パッドＩＳ−ＰＤ３は、第２パッドＩＳ−ＰＤ２の左側に整列される。
【０１００】
第２信号ライングループＳＧ２と第３信号ライングループＳＧ３との互いに対応する信号ラインは、一つの電極の両端に同期化された検出信号を提供する。検出信号の電圧降下を防止してセンシング感度を向上させる。本発明の一実施形態では、第２信号ライングループＳＧ２、第３信号ライングループＳＧ３のいずれか一つは省略されることもできる。
【０１０１】
第１電極グループＥＧ１の電極は、複数の第１センサ部ＳＰ１と複数の第１接続部ＣＰ１を含む。第１センサ部ＳＰ１は、第２方向ＤＲ２に沿ってアレンジされる。第１接続部ＣＰ１のそれぞれは、第１センサ部ＳＰ１の中の隣接する２つの第１センサ部ＳＰ１を接続する。
【０１０２】
第２電極グループＥＧ２の電極は、複数の第２センサ部ＳＰ２と複数の第２接続部ＣＰ２を含む。第２センサ部ＳＰ２は、第１方向ＤＲ１に沿ってアレンジされる。第２接続部ＣＰ２のそれぞれは、第２センサ部ＳＰ２の中の隣接する２つの第２センサ部ＳＰ２を接続する。
【０１０３】
第１電極グループＥＧ１の電極及び第２電極グループＥＧ２の電極は、互いに絶縁される。図６Ｂには、第１接続部ＣＰ１及び第２接続部ＣＰ２で交差の発生する形態を図示した。複数の第１センサ部ＳＰ１、複数の第１接続部にＣＰ１、複数の第２センサ部ＳＰ２、及び複数の第２接続部ＣＰ２の中の一部は、図６Ａに図示された第１導電層ＩＳ−ＣＬ１をパターニングして形成し、他の一部は、図６Ａに図示された第２導電層ＩＳ−ＣＬ２をパターニングして形成する。
【０１０４】
図６Ｃを参照すると、本発明の一実施形態では、複数の第１接続部にＣＰ１は、第１導電層ＩＳ−ＣＬ１から形成され、複数の第１センサ部ＳＰ１、複数の第２センサ部ＳＰ２、及び複数の第２接続部ＣＰ２は、第２導電層ＩＳ−ＣＬ２から形成されたことが分かる。第２絶縁層ＩＳ−ＩＬ２を貫通する第１接続コンタクトホールＣＮＴ−Ｉを介して第１センサ部ＳＰ１と第１接続部ＣＰ１とが接続されることができる。
【０１０５】
本発明の一実施形態では、複数の第１接続部ＣＰ１と複数の第２接続部ＣＰ２とが互いに交差することを示したが、この構成に限定されない。例えば、第２接続部ＣＰ２のそれぞれは、第１接続部ＣＰ１に重畳しないように「＜」及び／又は「＞」の形態に変形される。「＜」又は「＞」の形態の第２接続部ＣＰ２は、第１センサ部ＳＰ１に重畳することができる。
【０１０６】
本発明の一実施形態において、第１信号ライングループＳＧ１及び第２信号ライングループＳＧ２の信号ラインは、２層構造を有する。１層は、図６Ａに図示された第１導電層ＩＳ−ＣＬ１をパターニングして形成し、２層は、図６Ａに図示された第２導電層ＩＳ−ＣＬ２をパターニングして形成する。
【０１０７】
図６Ｄを参照すると、第８〜１０番目の信号ラインＳＬ１−８〜ＳＬ１−１０は、第１層ＳＬ−Ｌ１と第２層ＳＬ−Ｌ２を含む。第１層ＳＬ−Ｌ１及び第２層ＳＬ−Ｌ２は、第２絶縁層ＩＳ−ＩＬ２を貫通する第２接続コンタクトホールＣＮＴ−Ｓを介して電気的に接続される。
【０１０８】
図６Ｅに図示されたように、第１層ＳＬ−Ｌ１は、多層の金属（メタル）層を含む。図示は省略するが、第２層ＳＬ−Ｌ２も、また多層の金属（メタル）層を含む。図６Ｅには、第１金属（メタル）層ＭＬ１、第２金属層ＭＬ２、第３金属層ＭＬ３の３層構造を有する第１層ＳＬ−Ｌ１を例として示した。第１金属（メタル）層ＭＬ１、第２金属層ＭＬ２、第３金属層ＭＬ３は、第１チタン層ＭＬ１、アルミニウム層ＭＬ２、第２チタン層ＭＬ３であり得る。第２層ＳＬ−Ｌ２も、また第１層ＳＬ−Ｌ１と同じ積層構造を有し得る。
【０１０９】
図６Ｃ〜図６Ｅを参照すると、第１層ＳＬ−Ｌ１と第１接続部ＣＰ１は、同じ工程を通して形成され、同じ積層構造を有することができ、第２層ＳＬ−Ｌ２と第２接続部ＣＰ２は、同じ工程を通して形成され、同じ積層構造を有し得る。
【０１１０】
図６Ｆでは、図６ＢのＡＡ領域が図示された。本発明の一実施形態では、第１電極グループＥＧ１の電極及び第２電極グループＥＧ２の電極は、メッシュ形状を有する。図６Ｆはメッシュ状の第２電極ＩＥ２−８の一部分が図示された。３種の発光領域ＰＸＡ−Ｒ、ＰＸＡ−Ｇ、ＰＸＡ−Ｂに対応する開口部ＯＰ−ＭＲ、ＯＰ−ＭＧ、ＯＰ−ＭＢが定義された第２電極ＩＥ２−８の一部分が図示された。
【０１１１】
本発明の一実施形態では、入力検出センサーＩＳＬは、相互容量方式で外部入力を検出する静電容量式タッチパネルである。第１電極グループＥＧ１、第２電極グループＥＧ２のいずれか一つは、検出信号（ｄｅｔｅｃｔｉｏｎ  ｓｉｇｎａｌ）を受信し、他の一つは、第１電極グループＥＧ１と第２電極グループＥＧ２との間の静電容量の変化量を出力信号として出力する。
【０１１２】
本発明の一実施形態では、第２電極グループＥＧ２の電極は、検出信号を順次受信できる。入力検出回路は、第１電極グループＥＧ１から出力信号を読み取る。特定のポジションに入力手段が入力された場合、出力信号は、そうでない場合と異なる静電容量の変化量を表す。例えば、入力手段が特定のポジションに入力されると、等価回路的に特定のポジションにおいて、第１電極グループＥＧ１の電極と第２電極グループＥＧ２の電極とが定義するキャパシタに追加のキャパシタが並列接続される。
【０１１３】
第１信号ライングループＳＧ１を介して、第１電極グループＥＧ１から出力信号を読み取る過程のうち、第１信号ライングループＳＧ１によるノイズを減少させるための第１〜１０番目の信号ラインＳＬ１−１〜ＳＬ１−１０の抵抗は、実質的に同一である。「実質的に同一」とは、同じ抵抗を有するように設計したにもかかわらず、工程上の誤差によって発生した抵抗偏差を含む。第１〜１０番目の信号ラインＳＬ１−１〜ＳＬ１−１０の抵抗が同じでなくても、それらの偏差を減少させるために第１〜１０番目の信号ラインＳＬ１−１〜ＳＬ１−１０のうち、少なくとも一部の信号ラインは、後述する特徴を有し得る。
【０１１４】
図７Ａは、本発明の一実施形態に係る入力検出センサーＩＳＬの一部分を拡大した平面図である。図７Ｂは、図７ＡのＩＩＩ−ＩＩＩ’に対応するディスプレイ装置ＤＤの断面図である。図７Ｃは、図７ＡのＢＢ領域の拡大した平面図である。以下、図６Ｂの入力検出センサーＩＳＬの全体平面図と図７Ａ〜図７Ｃを参照して説明する。
【０１１５】
図７Ｂは、透過領域ＷＰ−Ｔ、ディスプレイ領域ＤＰ−ＤＡ、センシング領域ＩＳ−ＤＡの相対的な配置関係を示した。図７Ａを参照して説明する平面上の領域は、図７Ｂに図示された領域を参照する。図７Ｂで、透過領域ＷＰ−Ｔとセンシング領域ＩＳ−ＤＡとの間の間隔は、数百μｍ、例えば３００μｍ〜５００μｍである。
【０１１６】
図７Ａ及び図７Ｂに図示されたように、第２信号ライングループＳＧ２の第１〜ｊ番目の信号ラインのうち、いくつかの信号ラインは、第１部分Ｐ１０（又は接続部分）、第２部分Ｐ２０（又は延長部分）、及び第３部分Ｐ３０（又は中間部分）を含む。本発明の一実施形態では、第２〜８番目の信号ラインＳＬ２−２〜ＳＬ２−８は、第１部分Ｐ１０、第２部分Ｐ２０、及び第３部分Ｐ３０を含む。第２〜８番目の信号ラインＳＬ２−２〜ＳＬ２−８において、順序が増加するほど、より多くの数の第２部分Ｐ２０、及び第３部分Ｐ３０を含む。
【０１１７】
第１部分Ｐ１０は、対応する第２パッドＩＳ−ＰＤ２に接続され、第１方向ＤＲ１に延長される。第２部Ｐ２０は、信号ラインを第２方向ＤＲ２に延長させる。信号ラインは、第３部分Ｐ３０でベンディングされる。
【０１１８】
第ｊ番目の信号ラインである第８番目の信号ラインＳＬ２−８は、第１方向ＤＲ１内で、第２の電極グループＥＧ２の第１番目の電極ＩＥ２−１から最も遠くに離隔される。第８番目の信号ラインＳＬ２−８は、ｍ個の第２部分Ｐ２０及び（ｍ−１）個の第３部分Ｐ３０を含む。ｍは、２以上の自然数である。ｍはｊ以下である。本発明の一実施形態では、ｍは７である。第８番目の信号ラインＳＬ２−８は、７つの第２部分Ｐ２０のうち、一部分は、遮光領域ＷＰ−ＮＴに重畳する。７つの第２部分Ｐ２０のうち、２つの部分は、遮光領域ＷＰ−ＮＴに重畳する。
【０１１９】
順序が増加するにつれて、ｍ個の第２部分Ｐ２０は、センシング領域ＩＳ−ＤＡに近くなる。七つの第二部分Ｐ２０は、第８番目の第２電極ＩＥ２−８に接続される。
【０１２０】
その結果、第２〜８番目の信号ラインＳＬ２−２〜ＳＬ２−８が配置された領域の第１方向ＤＲ１の幅は、第２方向ＤＲ２内で第１信号ライングループＳＧ１に近くなるほど、次第に減少する。
【０１２１】
図７Ａ及び図７Ｃを参照すると、第２信号ライングループＳＧ２の信号ラインは、領域に応じて、異なる線幅を有する。対応する電極に隣接する領域は、小さな線幅を有する。第８番目の信号ラインＳＬ２−８を参照すれば、７つの第２部分Ｐ２０の第８番目の第２電極ＩＥ２−８に隣接したいくつかの第２部分Ｐ２０は、第１部分Ｐ１０に隣接した他の第２部分Ｐ２０よりも細い線幅を有する。
【０１２２】
図７Ａを参照すると、本発明の一実施形態では、第８番目の信号ラインＳＬ２−８は、７つの第３部分Ｐ３０を含むものと図示されたが、第１部分Ｐ１０に接続された第１番目の第３部分Ｐ３０は、省略される。このとき、第２部分Ｐ２０が第１部分Ｐ１０に直接接続される。本発明の一実施形態では、第３部分Ｐ３０は、第１方向ＤＲ１と第２方向ＤＲ２に交差する斜線方向に延長されたが、第１方向ＤＲ１に延長されることもできる。
【０１２３】
図７Ａ及び図７Ｂに図示されたように、第１信号ライングループＳＧ１の第１〜ｉ番目の信号ラインのうち、第１〜ｎ（ここで、ｎは、１以上ｉ未満の自然数）番目の信号ラインのそれぞれは、第１部分Ｐ１、第２部分Ｐ２、及び第３部分Ｐ３を含む。本発明の一実施形態では、ｎは８である。
【０１２４】
第１〜８番目の信号ラインＳＬ１−１〜ＳＬ１−８の第１部分Ｐ１は、第１パッド領域ＩＳ−ＰＡ１から第１方向ＤＲ１に延長される。第１部分Ｐ１が、必ず直線で延長される必要はない。第１〜８番目の信号ラインＳＬ１−１〜ＳＬ１−８の第２の部分Ｐ２は、第１〜８番目の電極ＩＥ１−１〜ＩＥ１−８（図６Ｂを参照）にそれぞれ接続される。第２部分Ｐ２は、第１方向ＤＲ１に延長されるが、必ずしも直線的に延長される必要はない。第２部分Ｐ２は、第２信号ライングループＳＧ２の第２〜８番目の信号ラインＳＬ２−２〜ＳＬ２−８の形状に類似する。
【０１２５】
本発明の一実施形態において、長さが長い第２部分Ｐ２は、長さが短い第２部分Ｐ２に比べ太い線幅を有する。第１番目の信号ラインＳＬ１−１の第２部分Ｐ２の線幅は、第８番目の信号ラインＳＬ１−８の第２部分Ｐ２の線幅よりも細い。図７Ｃは、最外側の２つの信号ラインＳＬ１−１の第２部分Ｐ２を、他の第２部分Ｐ２よりも太く図示した。
【０１２６】
第１〜８番目の信号ラインＳＬ１−１〜ＳＬ１−８の第３部分Ｐ３は、第１部分Ｐ１と第２部分Ｐ２との間に配置される。第３部分Ｐ３は、オープンループ（ｏｐｅｎ  ｌｏｏｐ）の形状を有する。
【０１２７】
第３部分Ｐ３は、狭い領域で長さを増加させるために、複数回ベンディングした形状を有し得る。第３部分Ｐ３は、長さにより抵抗値を制御するために、互いに同じ線幅を有する。第２信号ライングループＳＧ２の一部の信号ライン、例えば、第８番目の信号ラインＳＬ２−８が、第３部分Ｐ３とセンシング領域ＩＳ−ＤＡとの間に配置される。
【０１２８】
第１〜８番目の信号ラインＳＬ１−１〜ＳＬ１−８は、長さが異なる第３部分Ｐ３を含む。第３部分Ｐ３の長さは、信号ラインＳＬ１−１〜ＳＬ１−８の順序が増加するにつれて減少する。
【０１２９】
第３部分Ｐ３の抵抗は、信号ラインＳＬ１−１〜ＳＬ１−８の順序が増加するにつれて減少する。このとき、第３部分Ｐ３から延長された第２部分Ｐ２の抵抗は、信号ラインＳＬ１−１〜ＳＬ１−８の順序が増加するにつれて増加する。
【０１３０】
配線領域ＩＳ−ＮＤＡの面積を減らすために、第３部分Ｐ３は、狭い領域に集中して配置される。第３部分Ｐ３の線幅は、数マイクロメートルであり、第３部分Ｐ３の間隔も、また数マイクロメートルである。本発明の一実施形態では、第３部分Ｐ３の線幅及び隣接する第３部分の間の間隔は、３μｍ〜７μｍである。
【０１３１】
狭い面積に高密度の配線がアレンジされることで、第３部分Ｐ３で入射光の散乱現象が増加する。第３部分Ｐ３も、図６Ｅに図示されたように、３層の金属（メタル）層を含むことができるが、第３部分Ｐ３がアレンジされた領域は、金属（メタル）層の側面の密度が高いためである。
【０１３２】
図６Ｅを参照すると、第３金属（メタル）層ＭＬ３は、第２金属層ＭＬ２より反射率が低く、第２金属層ＭＬ２をほとんどカバーするが、第２金属層ＭＬ２の傾斜した側面は、露出される。外部の光は、第２金属層ＭＬ２の傾斜した側面で散乱される。
【０１３３】
散乱光により第３部分Ｐ３が、ユーザーに視認されることを防止するために、第３部分Ｐ３の少なくとも一部分は、遮光パターンＷＰ−ＢＺに重畳する。遮光パターンＷＰ−ＢＺは、散乱光が外部に放出されないように遮断することができる。
【０１３４】
第３部分Ｐ３が遮光パターンＷＰ−ＢＺに完全に重畳することもできるが、この構成に限定されない。第３部分Ｐ３の一部分は、遮光パターンＷＰ−ＢＺに重畳しない可能性もある。
【０１３５】
図７Ｃを参照すると、第３部分Ｐ３は、第１及び第２部分Ｐ１、Ｐ２より線幅が細い可能性がある。第３部分Ｐ３は、第１及び第２部分Ｐ１、Ｐ２より、同じ面積で密集して配置される。
【０１３６】
図７Ａ及び図７Ｃを参照すると、第３部分Ｐ３のそれぞれは、基準部分Ｐ１００、延長部分Ｐ２００、及び中間部分Ｐ３００を含む。基準部分Ｐ１００は、対応する第１部分Ｐ１の一端から第２信号ライングループＳＧ２の第１部分Ｐ１０に向かって第２方向ＤＲ２内で延長される。
【０１３７】
第３部分Ｐ３は、互いに異なる個数の延長部分Ｐ２００を含む。延長部分Ｐ２００は、基準部分Ｐ１００から第１方向ＤＲ１に離隔される。第１番目の信号ラインＳＬ１−１の第３部分Ｐ３は、第１〜ｋ番目（ここで、ｋは２以上の自然数）の延長部分Ｐ２００を含む。ｋ個の延長部分Ｐ２００は、第２方向ＤＲ２にアレンジされることができる。第１〜ｋ番目の延長部分Ｐ２００は、順序が増加するほど基準部分Ｐ１００から離隔される。本発明の一実施形態では、ｋは５である。
【０１３８】
第３部分Ｐ３は、互いに異なる個数の中間部分Ｐ３００を含む。中間部分Ｐ３００は、延長部分Ｐ２００に対して斜線方向に延長されてもよく、直交する方向に延長されてもよい。第１番目の信号ラインＳＬ１−１の第３部分Ｐ３は、第１〜番目の中間部Ｐ３００を含む。第１番目の中間部分Ｐ３００は、基準部分Ｐ１００の一端と第３部分Ｐ３の第１番目の延長部分Ｐ２００との間に配置される。第２〜ｋ番目の中間部分Ｐ３００は、第１〜ｋ番目の延長部分Ｐ２００を接続する。第１番目の中間部分Ｐ３００は、他の中間部分Ｐ３００より長い。
【０１３９】
基準部分Ｐ１００は、第１〜ｋ番目の中間部分Ｐ３００に対応する。基準部分Ｐ１００とセンシング領域ＩＳ−ＤＡとの間の距離は、一定である。
【０１４０】
第１番目の信号ラインＳＬ１−１の基準部分Ｐ１００、延長部分Ｐ２００及び中間部分Ｐ３００が定義する内側領域に他の信号ラインの第３部分Ｐ３が配置される。その結果、第３部分Ｐ３が配置された領域の第１方向ＤＲ１の幅は、第２方向ＤＲ２内で第２信号ライングループＳＧ２の第１部分Ｐ１０に近くなるほど、次第に減少される。第３部分Ｐ３が第２信号ライングループＳＧ２が未配置された領域に配置されることによって、配線領域ＩＳ−ＮＤＡの面積を減少させることができる。第３部分Ｐ３が第２方向ＤＲ２に延長されることでセンシング領域ＩＳ−ＤＡから第３部分Ｐ３を遠くに離隔させることができる。遮光領域ＷＰ−ＮＴに重畳する第３部分Ｐ３の面積を増加させることができる。
【０１４１】
図８Ａは、本発明の一実施形態に係る入力検出センサーの一部分を拡大した平面図である。図８Ｂは、図８Ａの一部分を拡大した平面図である。図８Ｃは、本発明の一実施形態に係る入力検出センサーの一部分を拡大した平面図である。以下、図１〜図７Ｃを参照して説明した構成と同一の構成についての詳細な説明は、省略する。
【０１４２】
図８Ａ及び図８Ｂに図示されたように、第３部分Ｐ３の中間部分Ｐ３００は、第２信号ライングループＳＧ２の第３部分Ｐ３０に対応して配置され、第３部分Ｐ３の延長部分Ｐ２００は、第２信号ライングループＳＧ２の第２部分Ｐ２０に対応して配置される。第３部分Ｐ３の平面上の形状と第２信号ライングループＳＧ２の一部分の信号ラインの平面上の形状が互いにかみ合うように、第３部分Ｐ３と第２信号ライングループＳＧ２が配置される。第３部分Ｐ３と第２の信号ライングループＳＧ２の信号ラインがかみ合うように配置されることによって、配線領域ＩＳ−ＮＤＡの面積を減少させることができる。
【０１４３】
第３部分Ｐ３と第２信号ライングループＳＧ２の信号ラインがかみ合うように配置されることによって外観検査が容易になる。図８Ｂは、１つの中間部分Ｐ３００に対応する領域を拡大図示したが、その領域で第３部分Ｐ３と中間部分Ｐ３００がベンディングされず、直線で構成されて外観検査を同時に行える。言い換えれば、図８Ａ及び図８Ｂに図示された第３部分Ｐ３と中間部分Ｐ３００は、外観検査を行うことのできる十分な面積を提供する。外観検査は、図８Ｂに対応する領域を撮影した後に、撮影したイメージからノイズを検出する。ノイズは、信号ラインの不良として判定される。
【０１４４】
図８Ｂには、図６Ｄを参照して説明した第２接続コンタクトホールＣＮＴ−Ｓが図示された。第２接続コンタクトホールＣＮＴ−Ｓが、第２部分Ｐ２０の末端領域に配置される。末端領域は、一つの第２部分Ｐ２０の第２方向ＤＲ２の長さの０％〜１０％の範囲及び９０％〜１００％の範囲に該当する領域であり得る。第２接続コンタクトホールＣＮＴ−Ｓは、外観検査時、ノイズと判定されることがあるが、第２接続コンタクトホールＣＮＴ−Ｓが第２部分Ｐ２０の中心領域に未配置されることで、第２部分Ｐ２０の中心領域を外観検査領域に利用することができる。
【０１４５】
図８Ｃを参照すると、第３部分Ｐ３の一部分は、遮光領域ＷＰ−ＮＴに重畳しない可能性がある。平面上で、第１番目の信号ラインＳＬ１−１の第３部分Ｐ３の（ｋ−１）番目及びｋ番目の延長部分Ｐ２００は、遮光領域ＷＰ−ＮＴに重畳しない可能性がある。図８Ｃを参照すると、ｋは５である。第１番目の信号ラインＳＬ１−１の第３部分Ｐ３の第１〜２番目の延長部分Ｐ２００は、遮光領域ＷＰ−ＮＴに重畳することができる。
【０１４６】
第３部分Ｐ３の遮光領域ＷＰ−ＮＴに重畳しない部分は、遮光領域ＷＰ−ＮＴに重畳する部分に比べて太い線幅を有し得る。太い線幅を有する第３部分Ｐ３が配置された領域は、相対的に図６Ｅを参照して説明した金属（メタル）層の側面の密度が低いため、外部の光の散乱率が低い。
【０１４７】
図９Ａは、本発明の一実施形態に係るディスプレイモジュールＤＭの斜視図である。図９Ｂは、本発明の一実施形態に係る入力検出センサーＩＳＬの平面図である。図１０Ａは、本発明の一実施形態に係るディスプレイモジュールＤＭの斜視図である。図１０Ｂは、本発明の一実施形態に係る入力検出センサーＩＳＬの平面図である。図１１Ａは、本発明の一実施形態に係るディスプレイモジュールＤＭの斜視図である。図１１Ｂは、本発明の一実施形態に係る入力検出センサーＩＳＬの平面図である。以下、図１〜図８Ｃを参照して説明した構成と同一の構成についての詳細な説明は省略する。図９Ｂ、図１０Ｂ、及び図１１Ｂは、図６Ｂに基づいて図示された。遮光パターンＷＰ−ＢＺ（図７Ｂ参照）が配置された領域は、暗く図示された。
【０１４８】
図９Ａ〜図１１Ｂにおいて、「層」タイプの入力検出センサーＩＳＬが例として図示された。図示は省略するが、本発明の一実施形態に係るディスプレイ装置は、「パネル」タイプの入力検出センサーを含むこともできる。
【０１４９】
図９Ａに図示されたように、ディスプレイモジュールＤＭは、平面上で内側に凹形のノッチ領域ＮＴＡが定義される。ディスプレイパネルＤＰと入力検出センサーＩＳＬのそれぞれにノッチ領域ＮＴＡが定義されるが、それぞれのノッチ領域ＮＴＡは同一でなくてもよい。
【０１５０】
図９Ｂに図示されたように、ノッチ領域ＮＴＡによって、第１電極グループＥＧ１、第２電極グループＥＧ２、第１信号ライングループＳＧ１、及び第２信号ライングループＳＧ２の配置及び配列は、図６Ｂの入力検出センサーＩＳＬの第１電極グループＥＧ１、第２電極グループＥＧ２、第１信号ライングループＳＧ１、及び第２信号ライングループＳＧ２の配置及び配列とは異なるように設けられる。
【０１５１】
図９Ｂに図示されたように、第１信号ライングループＳＧ１の第１〜１０番目の信号ラインＳＬ１−１〜ＳＬ１−１０は、第１電極グループＥＧ１の第１〜１０番目の電極ＩＥ１−１〜ＩＥ１−１０の一端にそれぞれ接続される。第１〜１０番目の信号ラインＳＬ１−１〜ＳＬ１−１０は、ノッチ領域ＮＴＡが形成されていない第１〜１０番目の電極ＩＥ１−１〜ＩＥ１−１０の一端、すなわち図９Ａでの左端に接続される。第１〜１０番目の電極ＩＥ１−１〜ＩＥ１−１０の一端は、第１方向ＤＲ１内で一列に整列される。
【０１５２】
ノッチ領域ＮＴＡが形成されているため、第１〜１０番目の電極ＩＥ１−１〜ＩＥ１−１０のうち、一部分は、他の一部分に比べて、電極の長さが短い。第１〜ｐ（ｐは、２以上ｉ未満の自然数）番目の電極は、第（ｐ＋１）〜ｉ番目の電極よりも、電極の長さが短い。
【０１５３】
第（ｐ＋１）〜ｉ番目の電極の他端、すなわち本発明の一実施形態での右端は、ノッチ領域ＮＴＡに隣接する。第（ｐ＋１）〜ｉ番目の電極の長さは、同一であり得るが、ここで示された構成に限定されない。ノッチ領域ＮＴＡの形状に応じて、第（ｐ＋１）〜ｉ番目の電極の長さは、互いに異なるように調節されることができる。図９Ｂでは、ｐは９である例が図示された。
【０１５４】
図９Ｂに図示されたように、第２信号ライングループＳＧ２の第１〜８番目の信号ラインＳＬ２−１〜ＳＬ２−８は、第２電極グループＥＧ２の第１〜８番目の電極ＩＥ２−１〜ＩＥ２−８の一端にそれぞれ接続される。本発明の一実施形態では、前記一端は、パッド領域ＩＳ−ＰＡ１、ＩＳ−ＰＡ２に隣接した下側端に該当する。
【０１５５】
第１〜８番目の電極ＩＥ２−１〜ＩＥ２−８の一端は、第２方向ＤＲ２内で一列に整列される。ノッチ領域ＮＴＡが形成されているため、第１〜８番目の電極ＩＥ２−１〜ＩＥ２−８の一部分は、他の一部分に比べて、電極の長さが短い。第１〜ｑ（ここで、ｑは１以上ｊ未満の自然数）番目の電極は、第（ｑ＋１）〜ｊ番目の電極よりも、電極の長さが短い。第１〜ｑ番目の電極の他端、本発明の一実施形態での上側端は、ノッチ領域ＮＴＡに隣接する。
【０１５６】
本発明の一実施形態では、第（ｑ＋１）〜ｊ番目の電極の長さは同一であり得るが、ここで示される構成に限定されない。ノッチ領域ＮＴＡの形状に応じて、第（ｑ＋１）〜ｊ番目の電極の長さは調節されることができる。図９Ｂでは、ｑは２である例が示された。
【０１５７】
本発明の一実施形態で、第１信号ライングループＳＧ１の第１〜１０番目の信号ラインＳＬ１−１〜ＳＬ１−１０は、図６Ｂに図示された第１〜１０番目の信号ラインＳＬ１−１〜ＳＬ１−１０について左右対称の形状を有する。第２信号ライングループＳＧ２の第１〜１０番目の信号ラインＳＬ２−１〜ＳＬ２−８は、図６Ｂに図示された第１〜１０番目の信号ラインＳＬ２−１〜ＳＬ２−８について左右対称の形状を有する。
【０１５８】
本発明の一実施形態では、ノッチ領域ＮＴＡが右上端に配置された構成を図示したが、ノッチ領域ＮＴＡの位置は、他のコーナー領域に変更されることができる。例えば、ノッチ領域ＮＴＡが左上端に配置される場合には、第１信号ライングループＳＧ１の第１〜１０番目の信号ラインＳＬ１−１〜ＳＬ１−１０は、図６Ｂに図示された第１〜１０の信号ラインＳＬ１−１〜ＳＬ１−１０と同じ配置及び配列を有する。
【０１５９】
図１０Ａに図示されたように、ノッチ領域ＮＴＡは、第２方向ＤＲ２内で中心領域に定義されることができる。ただし、ノッチ領域ＮＴＡが中央に配置されることに限定されない。
【０１６０】
図１０Ｂに図示されたように、ノッチ領域ＮＴＡによって、第１電極グループＥＧ１、第２電極グループＥＧ２の形状が変形されることができる。第１信号ライングループＳＧ１、及び第２信号ライングループＳＧ２の配置及び配列は、図６Ｂの入力検出センサーＩＳＬと略同一である。
【０１６１】
図１０Ｂに図示されたように、ノッチ領域ＮＴＡが形成されたため、第１０番目の電極ＩＥ１−１０は、２つの部分に分割されることができる。２つの部分は、ダミー信号ラインＤＳＬによって接続される。第２電極グループＥＧ２の第４〜６番目の電極ＩＥ２−４〜ＩＥ２−６は、他の電極に比べて、電極の長さが短い。
【０１６２】
ダミー信号ラインＤＳＬは、第３信号ライングループＳＧ３と異なる層上に配置される。ダミー信号ラインＤＳＬは、第１層ＳＬ−Ｌ１及び第２層ＳＬ−Ｌ２のいずれか１つから形成され、第３信号ライングループＳＧ３は、他の１つで形成されることができる。
【０１６３】
図１１Ａに図示されたように、ディスプレイモジュールＤＭは、平面上で、ホール領域ＨＡが定義される。ディスプレイパネルＤＰと入力検出センサーＩＳＬのそれぞれの一部の領域が除去されてホール領域ＨＡが定義される。ディスプレイパネルＤＰのホール領域ＨＡと入力検出センサーＩＳＬのホール領域ＨＡは同一でなくてもよい。ホール領域ＨＡは、光信号の移動通路であり得る。ディスプレイモジュールＤＭには、複数のホール領域ＨＡが定義されることもできる。
【０１６４】
ディスプレイパネルＤＰのホール領域ＨＡは、複数の発光領域ＰＸＡ−Ｒ、ＰＸＡ−Ｇ、ＰＸＡ−Ｂ（図６Ｆ参照）に対応する領域である。入力検出センサーＩＳＬのホール領域ＨＡは、センサ部ＳＰ１、ＳＰ２が除去された領域であり得る。
【０１６５】
図１１Ｂに図示されたように、ホール領域ＨＡによって、第１電極グループＥＧ１、第２電極グループＥＧ２の形状が変形されることができる。第１信号ライングループＳＧ１、及び第２信号ライングループＳＧ２の配置及び配列は、図６Ｂの入力検出センサーＩＳＬと略同一である。
【０１６６】
入力検出センサーＩＳＬのホール領域ＨＡは、第１電極グループＥＧ１及び第２電極グループＥＧ２の交差領域に配置されることができる。このとき、入力検出センサーＩＳＬのホール領域ＨＡの周辺には、ダミーの信号ラインが配置されることもできる。例えば、ダミー信号ラインは、ホール領域ＨＡを迂回して断絶された第１電極グループＥＧ１、第２電極グループＥＧ２の電極を接続することができる。
【０１６７】
以上示されたように、本発明の好適な実施形態を参照して説明したが、当該技術分野の当業者又は当該技術分野における通常の知識を有する者であれば、後述される特許請求の範囲に記載された本発明の思想及び技術領域から逸脱しない範囲内で、本発明を多様に修正及び変更させることが理解できる。
【０１６８】
したがって、本発明の技術的範囲は、明細書の詳細な説明に記載された内容に限定されるものではなく、特許請求の範囲によってのみ定められるべきであろう。
【符号の説明】
【０１６９】
ＤＤ：ディスプレイ装置
ＤＭ：ディスプレイモジュール
ＤＰ−ＤＡ：ディスプレイ領域
ＤＰ−ＮＤＡ：非ディスプレイ領域
ＤＰ：ディスプレイパネル
ＥＧ１：第１電極グループ
ＥＧ２：第２電極グループ
ＩＳ−ＣＬ１：第１導電層
ＩＳ−ＣＬ２：第２導電層
ＩＳ−ＤＡ：センシング領域
ＩＳ−ＮＤＡ：配線領域
ＩＳ−ＰＡ：パッド領域
ＩＳＬ：入力検出センサー
Ｐ１：第１部分
Ｐ２：第２部分
Ｐ３：第２部分
Ｐ１０：接続部分
Ｐ２０、Ｐ２００：延長部分
Ｐ３０、Ｐ３００：中間部分
Ｐ１００：基準部分
ＳＧ１：第１信号ライングループ
ＳＧ２：第２信号ライングループ
【図１】
2020042806.tif 000003
【図２Ａ】
2020042806.tif 000004
【図２Ｂ】
2020042806.tif 000005
【図２Ｃ】
2020042806.tif 000006
【図２Ｄ】
2020042806.tif 000007
【図３Ａ】
2020042806.tif 000008
【図３Ｂ】
2020042806.tif 000009
【図４】
2020042806.tif 000010
【図５Ａ】
2020042806.tif 000011
【図５Ｂ】
2020042806.tif 000012
【図６Ａ】
2020042806.tif 000013
【図６Ｂ】
2020042806.tif 000014
【図６Ｃ】
2020042806.tif 000015
【図６Ｄ】
2020042806.tif 000016
【図６Ｅ】
2020042806.tif 000017
【図６Ｆ】
2020042806.tif 000018
【図７Ａ】
2020042806.tif 000019
【図７Ｂ】
2020042806.tif 000020
【図７Ｃ】
2020042806.tif 000021
【図８Ａ】
2020042806.tif 000022
【図８Ｂ】
2020042806.tif 000023
【図８Ｃ】
2020042806.tif 000024
【図９Ａ】
2020042806.tif 000025
【図９Ｂ】
2020042806.tif 000026
【図１０Ａ】
2020042806.tif 000027
【図１０Ｂ】
2020042806.tif 000028
【図１１Ａ】
2020042806.tif 000029
【図１１Ｂ】
2020042806.tif 000030